(57)【要約】【課題】１つのACFを用いて、基板上に駆動回路素子とFPCと接続できる電気光学装置を提供する。【解決手段】本発明の電気光学装置は、入力信号に基づいて基板上の表示領域に画像を表示する電気光学装置１であって、複数の電極部６ａを有する駆動回路素子６と、複数の第１の配線４ａを有するフレキシブルプリント基板４と、基板上において駆動回路素子６とフレキシブルプリント基板４とに跨って形成され、複数の電極部６ａをそれぞれ基板上の複数の第２の配線２ｃに電気的導通状態で接続し、複数の第１の配線４ａをそれぞれ複数の第２の配線２ｃに電気的導通状態で接続する異方性導電シート９とを有する。【選択図】図１
2006066676.tif 000002
【特許請求の範囲】
【請求項１】
入力信号に基づいて基板上の表示領域に画像を表示する電気光学装置であって、
複数の電極部を有する駆動回路素子と、
複数の第１の配線を有するフレキシブルプリント基板と、
前記基板上において前記駆動回路素子と前記フレキシブルプリント基板とに跨って形成され、前記複数の電極部をそれぞれ前記基板上の複数の第２の配線に電気的導通状態で接続し、前記複数の第１の配線をそれぞれ前記複数の第２の配線に電気的導通状態で接続する異方性導電シートとを有することを特徴とする電気光学装置。
【請求項２】
前記異方性導電シートに接触する側における前記フレキシブルプリント基板の表面からの前記複数の第１の配線のそれぞれの突出量は、前記異方性導電シートの厚さよりも小さいことを特徴とする請求項１に記載の電気光学装置。
【請求項３】
前記駆動回路素子は略直方体の形状を有しており、前記複数の第１の配線の配線方向と直交する前記フレキシブルプリント基板の端面に対向する前記直方体の一面は、前記端面と平行に設けられていることを特徴とする請求項１又は請求項２に記載の電気光学装置。
【請求項４】
前記異方性導電シートは、COG用の異方性導電シートであることを特徴とする請求項１から請求項３のいずれかに記載の電気光学装置。
【請求項５】
入力信号に応じて基板上の表示領域に画像を表示する電気光学装置であって、
それぞれが複数の電極部を有する複数の駆動回路素子と、
複数の第１の配線を有する少なくとも１つのフレキシブルプリント基板と、
前記基板上において前記複数の駆動回路素子の少なくとも１つの駆動回路素子と前記少なくとも１つのフレキシブルプリント基板とに跨ってそれぞれ形成され、前記複数の電極部をそれぞれ前記基板上の複数の第２の配線に電気的導通状態で接続し、前記複数の第１の配線をそれぞれ前記複数の第２の配線に電気的導通状態で接続する複数の異方性導電シートとを有することを特徴とする電気光学装置。
【請求項６】
請求項１から請求項５のいずれかに記載の電気光学装置を有する電子機器。
【発明の詳細な説明】
【技術分野】
【０００１】
本発明は、電気光学装置及び電子機器に関し、特に、基板上に駆動回路素子が搭載され、かつその基板にフレキシブルプリント基板が接続される電気光学装置及び電子機器に関する。
【背景技術】
【０００２】
従来より、液晶表示装置等の電気光学装置が、携帯電話、プロジェクタ装置等の電子機器に広く搭載されている。  
２次元マトリックスの液晶表示領域を有する液晶表示パネルは、一般に、駆動用半導体装置、すなわちいわゆるドライバICチップにより駆動され、液晶表示領域に透過光あるいは反射光による画像を生成し表示する。駆動回路素子であるドライバICチップは、液晶表示パネルの基板上にACF（異方性導電シート）を用いてCOG（Chip on Glass）の技法により実装される場合がある。
【０００３】
その場合、液晶表示パネルの基板上のドライバICチップには、フレキシブルプリント基板（以下、FPCと略す）を介して外部から電源信号及び画素信号等の入力信号が入力される。液晶表示パネルは、ドライバICチップからの電源電圧信号を含む出力信号に基づいて駆動される。基板に接続されるFPCも、ドライバICチップ用のACFとは異なる種類のACFにより接続される場合がある（例えば、特許文献１参照）。
【０００４】
図４と図５は、そのような従来の液晶表示パネルの構成の例を説明するための図である。図４は、従来の液晶表示パネルの平面図である。図５は、図４の液晶表示パネルのV-V線に沿った部分断面図である。図４に示すように、液晶表示パネル１０１は、基板１０２の一部に表示領域１０３を有し、その表示領域１０３に画像を表示するための電源、画素信号等の入力信号がFPC１０４から供給される。
【０００５】
FPC１０４は、ACF１０５を用いて基板１０２上の配線１０２ａ、１０２ｂに電気的に接続される。基板１０２上に、ドライバICチップ１０６，１０７，１０８が、ACF１０９を使用したCOGによって実装されている。FPC１０４からの入力信号は、ドライバICチップ１０６，１０７，１０８へ配線１０２ａを介して供給され、ドライバICチップ１０６，１０７，１０８からの出力信号は、基板１０２上の配線１０２ｂを介して、表示領域１０３の配線に供給される。
【特許文献１】特開2003-223112号公報
【発明の開示】
【発明が解決しようとする課題】
【０００６】
しかし、特許文献１に開示されている実装方法によれば、液晶表示パネル１０１の製造工程において、ドライバICチップ用とFPC用のそれぞれのACF１０５，１０９を基板１０１上に形成する２つの工程が必要であった。
【０００７】
また、特許文献１に示される２つのACFは、一部が重なるように設けられているが、２つのACF領域が基板１０１上に設けられ、ドライバICチップとFPCとの間の距離が大きくなるため、基板１０２のドライバICチップとFPCとを実装する面積も大きくならざるを得なかった。さらに、ドライバICチップとFPCとの間の距離が大きくなると、基板上の配線抵抗が大きくなるという問題もある。さらに、図４に示す基板１０１とACF１０５，１０９との段部Sに、あるいはACF同士の段部（上述した特許文献１の場合）に、埃、水分等が溜まり易く、埃等は基板上の配線等の腐食等の原因となるという問題がある。
【０００８】
そこで、本発明は、このような課題に鑑みて成されたものであり、ドライバICチップとFPCとに跨るACFを用いて、基板上に駆動回路素子とFPCと接続できる電気光学装置を提供することを目的とする。
【課題を解決するための手段】
【０００９】
本発明の電気光学装置は、入力信号に基づいて基板上の表示領域に画像を表示する電気光学装置であって、複数の電極部を有する駆動回路素子と、複数の第１の配線を有するフレキシブルプリント基板と、前記基板上において前記駆動回路素子と前記フレキシブルプリント基板とに跨って形成され、前記複数の電極部をそれぞれ前記基板上の複数の第２の配線に電気的導通状態で接続し、前記複数の第１の配線をそれぞれ前記複数の第２の配線に電気的導通状態で接続する異方性導電シートとを有する。
【００１０】
このような構成によれば、１つのACFを用いて、基板上に駆動回路素子とFPCと接続できる電気光学装置を提供することができる。
【００１１】
また、本発明の電気光学装置において、前記異方性導電シートに接触する側における前記フレキシブルプリント基板の表面からの前記複数の第１の配線のそれぞれの突出量は、前記異方性導電シートの厚さよりも小さいことが望ましい。
【００１２】
このような構成によれば、フレキシブルプリント基板も異方性導電シートに確実に接続することができる。
【００１３】
また、本発明の電気光学装置において、前記異方性導電シートは、COG用の異方性導電シートであることが望ましい。
【００１４】
このような構成によれば、容易にかつ確実に駆動回路素子とフレキシブルプリント基板の両方の電気的接続を実現することができる。
【００１５】
また、本発明の電気光学装置は、入力信号に応じて基板上の表示領域に画像を表示する電気光学装置であって、それぞれが複数の電極部を有する複数の駆動回路素子と、複数の第１の配線を有する少なくとも１つのフレキシブルプリント基板と、前記基板上において前記複数の駆動回路素子の少なくとも１つの駆動回路素子と前記少なくとも１つのフレキシブルプリント基板とに跨ってそれぞれ形成され、前記複数の電極部をそれぞれ前記基板上の複数の第２の配線に電気的導通状態で接続し、前記複数の第１の配線をそれぞれ前記複数の第２の配線に電気的導通状態で接続する複数の異方性導電シートとを有する。
【００１６】
このような構成によれば、複数のACFを用いて、基板上に複数の駆動回路素子とFPCとを接続でき、さらに、ACFの使用量の低減を図ることができる。
【００１７】
また、本発明の電子機器は、本発明の電気光学装置を有する電子機器である。
【００１８】
このような構成によれば、電気光学装置が搭載される電子機器のコンパクト化を図ることができる。
【発明を実施するための最良の形態】
【００１９】
以下、図面を参照して本発明の実施の形態に係る、電気光学装置としての液晶表示パネルを説明する。なお、本実施の形態に係る液晶表示パネルは、ＳＴＮと言ったパッシブタイプであっても良いし、ＴＦＤ，ＴＦＴ，ＬＴＰＳといったアクティブタイプであっても良い。
【００２０】
図１は、本実施の形態に係わる液晶表示パネルの構成を説明するための平面図である。図２は、図１の液晶表示パネルのII-II線に沿った断面図である。  
液晶表示パネル１は、２枚のガラス基板２，３を貼り合わせて構成されている。貼り合わされた２枚のガラス基板の間には、液晶が封入される。液晶が封入された領域が、表示部としての表示領域３ａを構成し、表示領域３ａに画像が表示される。
【００２１】
２枚のうちの一方のガラス基板２は、他方のガラス基板３よりも面積が大きい。よって、２枚のガラス基板２，３を貼り合わせた状態において、基板２は、基板３よりも大きく張り出している部分（以下、張り出し部という）２ａを有する。張り出し部２ａの表面に、入力用と出力用の複数の配線２ｃ、２ｄが形成される。
【００２２】
液晶表示パネル１には、表示領域３ａに画像を表示するための電源、画素信号等の入力信号がFPC４から供給される。供給された入力信号は、基板２上に形成された入力側の配線２ｃを介して、ドライバＩＣチップ６，７，８へ入力される。ドライバICチップ６，７，８からの出力信号は、基板２上に形成された出力側の配線２ｄを介して、表示領域３ａの配線に供給される。
【００２３】
入力側の複数の配線２ｃは、互いに平行で、かつそれぞれ略直線状に、基板２上に形成されている。同様に、出力側の複数２ｄの配線も、互いに平行で、かつそれぞれ略直線状に、基板２上に形成されている。これは、配線抵抗のばらつきを抑え、かつ、張り出し部２ａを小さくするためである。
【００２４】
また、ドライバICチップ６の基板側の面（以下、底面という）には、入力信号側の電極部としての複数のバンプ６ａが、底面の長辺の一辺に沿って一列に設けられている。同様に、出力信号側の電極部としての複数のバンプ６ａが、上記一辺とは反対側の一辺に沿って一列に設けられている。
【００２５】
なお、図１では、３つのドライバICチップ６，７，８が基板２上に設けられているが、これは、２次元マトリックスのX方向の１つのドライバICチップ６と、２つのY方向のドライバICチップ７，８という組み合わせによって、表示領域３ａの画像表示を行うからである。しかし、１つのドライバICチップが、X方向とY方向の２つの方向の処理を行うものであれば、１つのドライバICチップだけが基板上に実装される。また、２つのドライバICチップが、それぞれX方向とY方向の処理を行うものであれば、２つのドライバICチップだけが基板上に実装される。
【００２６】
FPC４とドライバICチップ６，７，８は、FPC４とドライバICチップ６，７，８に跨るACF９を用いて基板２上の複数の配線２ｃに電気的に接続される。より具体的に述べれば、ドライバICチップ６，７，８は、基板２上に、ACF９の領域の一部を使用したCOGの技法によって実装されている。FPC４は、基板２上のACF９の領域の他の部分を使用して接続される。
【００２７】
さらに詳述すれば、張り出し部２ａは、図１の平面図に示すように、略矩形形状を有する。略直方体形状の３つのドライバICチップ６，７，８は、その張り出し部２ａの略中央部に一列に並んで配置され、所定の力で押圧することによってCOGの技法によりACF９の表面上に固定される。FPC４も、ACF９の表面上に所定の力と熱を加えながら加圧することによって基板２に固定される。なお、ドライバICチップ７，８は、ドライバICチップ６と同様の構成であるため、以下、図２を用いて、ドライバICチップ６のみについて取り上げて説明する。
【００２８】
ACF９は、略矩形形状をして、基板２の表面上に設けられ、一辺は、基板３の一辺に平行に形成され、その一辺の反対側の辺は、基板２の端面２ｂと平行に形成されている。また、FPC４の複数の配線の配線方向とACF９の長手方向とは直交する。ACF９の長手方向と平行なFPC４の端面４ｂに対向するドライバICチップ６の一面６ｂは、FPC４の端面４ｂと平行になるように、ドライバICチップ６とFPC４とが基板２上に設けられている。これは、２つの面６ｂ、４ｂを平行にすることによって、ドライバICチップ６とFPC４間の距離を最も短くできるからである。
【００２９】
ACF９は、例えば熱硬化性樹脂中に多くの導電粒子９ａが分散状態で存在する材料である。ドライバICチップ６の基板側の面（以下、底面という）には、電極としての複数のバンプ６ａが設けられている。ACF９は、未硬化状態で基板２に貼付した状態から、所定の力と熱を加えて押圧した状態に変化すると、ドライバICチップ６の底面側のバンプ６ａと基板２上の金属配線２ｃ、２ｄと間の距離は、所定の距離になる。この所定の距離において、導電粒子９ａ間の距離が、十分に電気を通すことができる距離となるため、各バンプ６ａと基板２上の配線間に、電気信号を通すことができる。従って、未硬化状態で貼付されるACF９の厚さは、圧着後にバンプ６ａと基板２の配線間が導電粒子９ａにより導通するようになる厚さである。
【００３０】
さらに、ドライバICチップ６と基板２とを固着するためには、ドライバICチップ６の底面と基板２の間にACFが、十分に充填されなければならない。そのために、ACF９の厚さは、圧着したときのバンプ６ａと基板２上の配線間の距離だけでなく、ドライバICチップ６のパッケージングの表面からの、バンプ６ａの突出部分の突出量Δにも関係する。従って、ACF９は、所定以上の厚さを持って貼付されなければならず、ACF９の最小厚さdminは、次の式（１）の関係を有する。
【００３１】
dmin=f(Δ)                        ・・・式（１）
すなわち、ACF９の最小厚さdminは、式（１）に示すように、バンプ６ａの突出部分の突出量Δの関数である。
【００３２】
しかし、一方で、FPC４を押圧し、FPC４の金属配線４ａが基板２上の配線と電気的に導通状態になるようにするためには、金属配線４ａの突出部分のFPC４の表面からの突出量δが、上記dminよりも小さい必要がある。これは、金属配線４ａの突出部分が十分にACF９によって覆われるようにしなければ、FPC４の金属配線４ａがACF９により確実に基板２上の配線２ｃに電気的に接続されない虞があるからである。従って、ACF９の最小厚さdminと金属配線４ａの突出量δとは、次の式（２）の関係を有する必要がある。
【００３３】
δ<dmin                          ・・・式（２）
すなわち、突出量δは、ACF9の厚さよりも小さい。以上のように、液晶表示パネル１において、基板２上にACF９だけを用いて、ドライバICチップ６，７，８と、FPC４とが実装される。  
以上の構成によれば、ドライバICチップ６とFPC４の対向する辺間の距離d1を小さくすることができる。例えば、上述した図５に示した従来技術の液晶表示パネル１０１の場合、ACFの貼りずれ誤差、ACF幅公差及びドライバICチップ６とFPC４との実装公差を考慮して、ドライバICチップ１０６とFPC１０４の対向する辺間の距離d2は、例えば略０．５ｍｍであった。これに対し、本実施の形態に係る液晶表示パネル１の場合は、設計上の各種制約があるが、ドライバICチップ６とFPC４の対向する辺間の距離d1を、ドライバICチップ６とFPC４との実装公差のみを考慮すればよく、例えば０．２ｍｍとすることができる。従って、液晶表示パネル１の大きさを小さくすることができる。また、ドライバICチップ６とFPC４の対向する辺間の距離d1を小さくすることができるので、基板２上の配線抵抗も小さくすることができる。
【００３４】
さらに、基板２上には１つのACF９しかないので、従来のように２つのACF間の段部に堆積した埃等による基板の配線腐食等も生じない。  
さらにまた、液晶表示パネル１が搭載される携帯電話等の電子機器のコンパクト化を図ることができる。
【００３５】
なお、本実施の形態の変形例として、ドライバICチップが複数ある場合、複数のドライバICチップ間のACFの領域部分は設けなくてもよい。図３は、複数のドライバICチップを複数のACFを用いて実装した場合の変形例を示す平面図である。
【００３６】
図３に示すように、液晶表示パネル１は、張り出し部２ａに２つのドライバICチップ１６，１７がそれぞれのACF９Ａ，９Ｂを用いてCOGの技法により実装されている。そして、FPC４が、張り出し部２ａ上の２つのACF９Ａ，９Ｂに接続されている。この場合、２つのACF９Ａ，９Ｂを、図１に示すように１つのACF９で賄っても良いが、２つのACF９Ａ，９Ｂにすることによって、ACFの使用量の低減を図ることができる。FPC４とドライバICチップ１６に跨るACF９Aと、FPC４とドライバICチップ１７に跨るACF９Bとが用いられている。
【００３７】
このような変形例によっても、図１に示す構成と同様に、ドライバICチップ１６，１７とFPC４の対向する辺間の距離d1を小さくすることができる。
【００３８】
また、従来は、ドライバICチップ用ACFとFPC用ACFは、それぞれ専用のACFであり、１つの種類のACFを共用することはなかったため、１つの種類のACFを共用する場合に、どのような条件が必要であるかは不明であった。本実施の形態によれば、上述した式（１）及び式（２）に示すように、ドライバICチップの複数のバンプのそれぞれの突出量は、FPCの表面からの配線のそれぞれの突出量よりも大きいようにしたため、共用１つの種類のACFで、ドライバICチップとFPCの両方を電気的に確実に接続できるようにしている。
【００３９】
以上のように、本実施の形態及びその変形例によれば、ドライバICチップ６とFPC４の対向する辺間の距離d1を小さくすることができる。さらに、従来のような、複数のACFを利用することによるドライバICチップ用のACFとFPC用のACF間の基板上の配線等の腐食等が生じない。
【００４０】
本発明は、上述した実施の形態に限定されるものではなく、本発明の要旨を変えない範囲において、種々の変更、改変等が可能である。
【産業上の利用可能性】
【００４１】
本発明は、液晶表示パネルだけでなく、エレクトロルミネッセンス装置、有機エレクトロルミネッセンス装置、プラズマディスプレイ装置、電気泳動ディスプレイ装置、電気放出素子を用いた装置（Field Emission Display 及びSurface-Conduction Electron-Emission Display等）等の各種の電気光学装置においても同様に適用することが可能である。
【００４２】
さらに、本発明に係る電気光学装置が適用できる電子機器としては、携帯電話、プロジェクタの他に、PDA(Personal Digital Assistants：携帯情報端末)、携帯型パーソナルコンピュータ、デジタルカメラ、車載用モニタ、デジタルビデオカメラ、液晶テレビ、ビューファインダ型もしくは直視型ビデオテープレコーダ、カーナビゲーション装置、ページャ、電子手帳、電卓、ワードプロセッサ、ワークステーション、テレビ電話機、POS端末機等がある。
【図面の簡単な説明】
【００４３】
【図１】本発明の実施の形態に係わる液晶表示パネルの構成を説明するための平面図。
【図２】図１の液晶表示パネルのII-II線に沿った断面図。
【図３】本発明の実施の形態の変形例を示す平面図。
【図４】従来の液晶表示パネルの平面図。
【図５】図４の液晶表示パネルのV-V線に沿った部分断面図。
【符号の説明】
【００４４】
１  液晶表示パネル、２  ガラス基板、２ａ  張り出し部、３ａ  表示領域、４  フレキシブルプリント基板、６，７，８  ドライバICチップ、９  ACF
【図１】
2006066676.tif 000003
【図２】
2006066676.tif 000004
【図３】
2006066676.tif 000005
【図４】
2006066676.tif 000006
【図５】
2006066676.tif 000007
【手続補正書】
【提出日】平成17年7月11日(2005.7.11)
【手続補正１】
【補正対象書類名】特許請求の範囲
【補正対象項目名】全文
【補正方法】変更
【補正の内容】
【特許請求の範囲】
【請求項１】
入力信号に基づいて基板上の表示領域に画像を表示する電気光学装置であって、
前記基板上には、複数の第２の配線を有し、
複数の電極部を有する駆動回路素子と、
複数の第１の配線を有するフレキシブルプリント基板と、      
異方性導電シートとを有し、
前記異方性導電シートは、前記基板上において前記駆動回路素子と前記フレキシブルプリント基板とに跨って形成され、前記複数の電極部をそれぞれ前記複数の第２の配線に電気的導通状態で接続し、前記複数の第１の配線をそれぞれ前記複数の第２の配線に電気的導通状態で接続し、
前記異方性導電シートに接触する側における前記フレキシブルプリント基板の表面からの前記複数の第１の配線のそれぞれの突出量は、前記異方性導電シートの厚さよりも小さい
ことを特徴とする電気光学装置。
【請求項２】
前記駆動回路素子は略直方体の形状を有しており、前記複数の第１の配線の配線方向と直交する前記フレキシブルプリント基板の端面に対向する前記直方体の一面は、前記端面と平行に設けられていることを特徴とする請求項１に記載の電気光学装置。
【請求項３】
前記異方性導電シートは、COG用の異方性導電シートであることを特徴とする請求項１または請求項２に記載の電気光学装置。
【請求項４】
入力信号に応じて基板上の表示領域に画像を表示する電気光学装置であって、
前記基板上に複数の第２の配線を有し、
それぞれが複数の電極部を有する複数の駆動回路素子と、
複数の第１の配線を有する少なくとも１つのフレキシブルプリント基板と、
複数の異方性導電膜を有し、
前記複数の異方性導電膜が、前記基板上において前記複数の駆動回路素子の少なくとも１つの駆動回路素子と前記少なくとも１つのフレキシブルプリント基板とに跨ってそれぞれ形成され、前記複数の電極部をそれぞれ前記複数の第２の配線に電気的導通状態で接続し、前記複数の第１の配線をそれぞれ前記複数の第２の配線に電気的導通状態で接続する
ことを特徴とする電気光学装置。
【請求項５】
請求項１から請求項４のいずれかに記載の電気光学装置を有する電子機器